(57)【要約】  本発明は、少なくとも２つの吸引チャネル（１１）を介してオイルの流入が実現される圧力プレート（１０）（吸引チャネル（１１）は、圧力プレート（１０）上に設けられている）と、圧力プレート（１０）の近傍に配置され、吸引チャネル（１１）を通過するオイルが入る少なくとも１つの入口チャネル（２１）が設けられている摩耗プレート（２０）と、を有する可変容量ベーンポンプである。改良として、主題の可変容量ベーンポンプは、吸引チャネル（１１）間で規定される支持部（１３）と、当該支持部（１３）の、摩耗プレート（２０）に面する表面に設けられ、凹型であり、少なくとも片側から吸引チャネル（１１）の１つに対して開口している、少なくとも１つの中間接続チャネル（１２）と、を含む。
2020513506.tif 000002
【特許請求の範囲】
【請求項１】
圧力プレート（１０）と、前記圧力プレート（１０）の近傍に配置される摩耗プレート（２０）と、を有しており、
前記圧力プレート（１０）において、オイルの流入は、前記圧力プレート（１０）に設けられる少なくとも２つの吸引チャネル（１１）を通して実現され、
前記摩耗プレート（２０）において、前記吸引チャネル（１１）を通過するオイルが入る、少なくとも１つの入口チャネル（２１）が設けられている、可変容量ベーンポンプであって、
前記吸引チャネル（１１）間で規定される支持部（１３）と、少なくとも１つの中間接続チャネル（１２）と、を含み、
前記少なくとも１つの中間接続チャネル（１２）は、前記支持部（１３）の、前記摩耗プレート（２０）に面する表面に設けられ、凹型であり、少なくとも片側から、前記吸引チャネル（１１）の１つに対して開口していることを特徴とする、可変容量ベーンポンプ。
【請求項２】
前記中間接続チャネル（１２）の２つの端部が、前記吸引チャネル（１１）に対して開口している、請求項１に記載の可変容量ベーンポンプ。
【請求項３】
前記中間接続チャネル（１２）は、前記吸引チャネル（１１）と同じ幅を有する、請求項１または２に記載の可変容量ベーンポンプ。
【請求項４】
前記支持部（１３）は、前記入口チャネル（２１）の少なくとも１つと同じ方向に設けられる、請求項１に記載の可変容量ベーンポンプ。
【発明の詳細な説明】
【技術分野】
【０００１】
本発明は、可変容量ベーンポンプに関する。
【背景技術】
【０００２】
高回転の可変容量ベーンポンプでは、高速回転によって生じる摩耗を防止するために、バイメタル材料で形成された摩耗プレートが、ローターセットの両側に配置される。さらに、前記ローターセットの吸引チャネルと圧力チャネルとを互いに分離するために、圧力プレートが前記摩耗プレートとリアカバーとの間に配置される。ポンプ吸引ラインがカバーに設けられている場合、当該カバーを通過してくるオイルは、障害（断面狭窄、チャネル方向の急激な変化等）に供されることなく、前記ローターセットの吸引セルを直接満たすことが望ましい。従って、前記摩耗プレートおよび前記圧力プレート上に設けられる前記チャネルは、実質的に大きく、互いに対応していることが望ましい。この場合、構造上の要件のために、前記摩耗プレートのチャネルおよび前記圧力プレートのチャネルは、実質的な吸引を実現することができない。
【０００３】
結果として、上記の全ての課題のために、関連技術分野において改善が求められている。
【発明の概要】
【０００４】
本発明は、上述の欠点を解消し、関連技術分野に新たな利点をもたらすための可変容量ベーンポンプに関する。
【０００５】
本発明の目的は、吸引性能を向上させた可変容量ベーンポンプを提供することにある。
【０００６】
以下の詳細な説明から推論される上記の目的および目的の全てを実現するために、本発明は、少なくとも２つの吸引チャネルを介してオイル流入が実現される圧力プレート（前記吸引チャネルは、前記圧力プレート上に設けられている）と、前記圧力プレートの近傍に配置され、前記吸引チャネルを通過するオイルが入る少なくとも１つの入口チャネルが設けられている摩耗プレートとを有する可変容量ベーンポンプである。従って、改良として、主題の可変容量ベーンポンプは、前記吸引チャネル間で規定される支持部と、当該支持部の前記摩耗プレートに面する表面に設けられ、凹型であり、少なくとも片側から前記吸引チャネルの１つに対して開口している、少なくとも１つの中間接続チャネルとを含む。これにより、前記支持部が前記入口チャネルの前側を閉塞することが防止され、吸引性能が向上する。
【０００７】
本発明の好ましい実施形態では、前記中間接続チャネルの２つの端部は、前記吸引チャネルに対して開口している。これにより、両端から前記中間接続チャネルへのオイル入口を設けることができる。
【０００８】
本発明の好ましい実施形態では、前記中間接続チャネルは、前記吸引チャネルと同じ幅を有する。これにより、前記中間接続チャネルのサイズをできるだけ大きくすると同時に、前記圧力プレートの抵抗が低下することを防止することができる。
【０００９】
本発明の好ましい実施形態では、前記支持部は、前記入口チャネルの少なくとも１つと同じ方向に設けられる。
【図面の簡単な説明】
【００１０】
【図１】図１には、主題の可変容量ベーンポンプの代表的な図が、圧力プレート側から示されている。
【図２】図２には、主題の可変容量ベーンポンプの代表的な断面図が示されている。
【図３】図３には、従来技術の可変容量ベーンポンプの代表的な図が、圧力プレート側から示されている。
【図４】図４には、従来技術の可変容量ベーンポンプの代表的な断面図が示されている。
【発明を実施するための形態】
【００１１】
この詳細な説明において、主題の可変容量ベーンポンプは実施例を参照して説明されるが、実施例は、主題をより理解しやすくするためのみに参照され、限定的な効果を形成するものではない。
【００１２】
主題の可変容量ベーンポンプは、ローターセットが配置される本体（３０）を有する。本体（３０）の片側には圧力プレート（１０）が設けられている。圧力プレート（１０）の、本体（３０）に面する側には、摩耗プレート（２０）が設けられている。圧力プレート（１０）は、カバー（図示せず）によって閉じられている。当該カバー側から流入するオイルは、圧力プレート（１０）に設けられた少なくとも２つの吸引チャネル（１１）を通過し、摩耗プレート（２０）に設けられた少なくとも１つの入口チャネル（２１）に到達する。入口チャネル（２１）を通過して本体（３０）内に存在するオイルは、ローターセットに到達する。
【００１３】
摩耗プレート（２０）に設けられた入口チャネル（２１）は、所定の距離が間に設けられるように、本質的に連続的に配置される。本発明の可能な実施形態では、３つの入口チャネル（２１）が設けられる。圧力プレート（１０）に設けられた複数の吸引チャネル（１１）間には、所定の距離がある。複数の圧力チャネル（１０）間に存在する領域は、支持部（１３）として規定される。摩耗プレート（２０）と圧力プレート（１０）が上下に配置されると、前記支持部（１３）は、摩耗プレート（２０）に設けられた入口チャネル（２１）の１つに対応する。少なくとも１つの中間接続チャネル（１２）が、支持部（１３）の、摩耗プレート（２０）に面する側に、言い換えれば、摩耗プレート（２０）が面している圧力プレート（１０）の面上に設けられている。前記中間接続チャネル（１２）の少なくとも片側は、吸引チャネル（１１）の１つに対して開口している。本発明の可能な実施形態では、中間接続チャネル（１２）の両端が、吸引チャネル（１１）に対して開口している。換言すれば、中間接続チャネル（１２）は、吸引チャネル（１１）を互いに部分的に接続している。本発明の可能な実施形態では、中間接続チャネル（１２）は、吸引チャネル（１１）と同じ幅を有するように設けられる。中間接続チャネル（１２）によって、支持部（１３）と同じ方向に存在する入口チャネル（２１）の前側が開口される。換言すれば、支持部（１３）と同じ方向に対応する入口チャネル（２１）へのオイルの流入が容易になる。これにより、可変容量ベーンポンプの吸引性能が向上する。
【００１４】
本発明の保護範囲は、添付の特許請求の範囲に記載されており、詳細な説明の下で、上記で与えられた例示的な開示に限定することはできない。それは、当業者が、本発明の主な原理から逸脱することなく、前述の開示に照らして同様の実施形態を明らかにもたらすことができるからである。
【符号の説明】
【００１５】
１０    圧力プレート
１１    吸引チャネル
１２    中間接続チャネル
１３    支持部
２０    摩耗プレート
２１    入口チャネル
３０    本体
【図１】
2020513506.tif 000003
【図２】
2020513506.tif 000004
【図３】
2020513506.tif 000005
【図４】
2020513506.tif 000006
【国際調査報告】
2020513506.tif 000007
2020513506.tif 000008